(57)【要約】【課題】金属製櫛を作業中に何かにぶつけたり、テーブルから床への落下の衝撃やトリマーの腰に装着されたり作業テーブル上のシザーホルダー・ポケットの出し入れ時や絡まった毛との引っ掛かりによる力が櫛歯に加わった場合でも櫛歯の曲がりにくい金属製櫛を提供する。【解決手段】金属製櫛１は、櫛歯３を突設する孔を所定間隔に穿設した真鍮製の基部２に、先端を丸めるとともに他端に抜け止め処理を施したニードル状の櫛歯３をプレスなどで孔に圧入し突設する。基部２の両端部２Ｅ側の複数本をチタン合金製の剛性の高い材質の櫛歯３Ａを基部２に突設するとともに基部２の両端部２Ｅ側の複数本を除くその他の部分にはステンレス製の櫛歯３Ｂを突設し、その後、メッキ処理並びに装飾を施して完成する。【選択図】図１
2011045684.tif 000002
【特許請求の範囲】
【請求項１】
基部の側面に櫛歯を多数突設した金属製櫛において、基部の両端部側に突設される複数本の櫛歯の材質を、両端部側以外の部分に突設される櫛歯より剛性の高い材質とすることを特徴とする金属製櫛。
【発明の詳細な説明】
【技術分野】
【０００１】      本発明は、髪の毛やペット等の毛を梳く時に使用する金属製櫛に関するものである。
【背景技術】
【０００２】      一般的に櫛は、板状に形成された木材、べっこう、象牙、合成樹脂の一側に切れ込みを入れて櫛歯を形成したものである。また、金属製櫛は主に真鍮製の細長形状の基部の一側にステンレス製の多数の櫛歯を突設したもので髪の毛や動物の毛を櫛歯の間を通し梳くものである。また、櫛歯と櫛歯との間隔を変えて、間隔の広いものは絡んだ毛をほぐしながら梳くもの、間隔の狭いものは毛並みを整え仕上げに用いるなど使い分けられ、一本の櫛で櫛歯の間隔の広い部分と櫛歯の間隔の狭い部分を所定幅に分け構成したものや基部両側面に櫛歯の間隔を広くしたものと間隔を狭くしたものをそれぞれの面に設けるなどして使い分けができるように工夫されたものもある。【０００３】      特に金属製櫛は、その材質に由来する滑り感や特に櫛歯に強度が必要となる絡んだ毛をほぐす場面が多いペットショップのトリマーなどに重宝されている。【０００４】      しかしながら、金属製櫛はトリマーが作業中に何かにぶつけたり、あるいは手を滑らせたり作業テーブル上の金属製櫛を取損ねて床に落してしまうことによる衝撃、また、トリマーの腰に装着されたり作業テーブル上のシザーホルダーやポケットへの出し入れ時に引っかかり櫛歯に加わる力、さらには絡まった毛に引っ掛かったときの力で櫛の両端部の櫛歯が曲がってしまい、そのまま使用を続けた場合には曲がった櫛歯が折れてペットの毛が絡んだり、折れた櫛歯の先端でペットの皮膚を傷つけてしまう虞があるために両端部の数本の櫛歯が折損しただけで使い慣れた高価な櫛を捨ててしまわなければならないという問題があった。【０００５】      しかしながら木製等の櫛に見られるように最両端部を太くして強度を持たせるようにすると金属製櫛では両端部の重量が増加し、バランスも崩れ取り扱いが不便になってしまうというさらなる問題が生ずるために金属製櫛において両端部の櫛歯の曲がりを防止する対策が施されたものはなかった。
【発明の概要】
【発明が解決しようとする課題】
【０００６】        本発明の目的は、金属製櫛を作業中に何かにぶつけたりあるいはテーブル等から床への落下の衝撃やトリマーの腰に装着されたり作業テーブル上のシザーホルダーやポケットの出し入れ時に櫛歯の引っ掛かりによる力あるいは絡まった毛に引っ掛かり力が櫛歯に加わった場合でも櫛歯の曲がりにくい金属製櫛を提供しようとするものである。
【課題を解決するための手段】
【０００７】        上記課題を解決するために本発明は、櫛の基部の側面に櫛歯を多数突設した金属製櫛において、基部の両端部側に突設される複数本の櫛歯の材質を、両端部側以外の部分に突設される櫛歯より剛性の高い材質としたものである。【０００８】        このような構成とすることで、金属製櫛の使用中に何かにぶつけたり、誤って手を滑らせて作業テーブルから櫛を床に落とした時の衝撃、また、シザーホルダーやポケットの出し入れ時や絡まった毛との引っ掛かりにおいて最も力が加わる櫛の基部の両端部側に突設される複数本の櫛歯をチタン合金などの剛性の高い材質とすることで、櫛歯に落下の衝撃や引っ掛かりによる力が加わった場合でも復元して櫛歯が曲がったり折れてしまう確立を大幅に少なくすることができる。
【発明の効果】
【０００９】        本発明によれば、櫛の基部の両端部側に複数本突設される櫛歯をチタン合金などの剛性の高い材質としたので、作業中に櫛をぶつけたり、床への落下やシザーホルダーやポケットあるいは絡まった毛との引っ掛かりで櫛歯が曲がったり折れたりすることが低減されるので、使い慣れて気に入った櫛を長期間使用することができ、櫛歯の折損してしまった高価な櫛を廃棄する回数が大幅に減るのでコスト的にも環境にもやさしくなる。【００１０】        また、櫛歯に使用される例えばチタン合金等の剛性の高い材質は、他の部分に使用されるステンレスなどと比較して高価ではあるが、櫛の両端部側に複数本突設するだけなのでコストアップも少なくて済むとともに廃棄する回数が減少し長期間使用することが可能となることから、全体的なコストは低減する。
【図面の簡単な説明】
【００１１】
【図１】  本発明の金属製櫛の一実施例を示す正面図である。
【実施例】
【００１２】        以下、本発明の金属製櫛について、図面に基づいて説明する。図中１は本発明に係る金属製櫛であり、真鍮製の細長形状の基部２の側面に多数の櫛歯３が突設され、突設される櫛歯３の間隔を広くした荒目部Ｗと櫛歯３の間隔を狭くした細目部Ｔとして用途ごとに使い分けられるように構成されている。【００１３】        また、基部２の両端部２Ｅ側に突設される複数本のそれぞれの櫛歯３Ａは材質をチタン合金として、その他の部位に突設される櫛歯３Ｂの材質であるステンレスより剛性の高い材質を用いている。【００１４】        また、金属製櫛１の製造方法を簡単に説明すると、櫛歯３を突設する孔（図示しない）を所定間隔に穿設した真鍮製の基部２に、先端を丸めるとともに他端に抜け止め処理を施したニードル状の櫛歯３をプレスなどで孔（図示しない）に圧入し突設する。その際に基部２の両端部２Ｅ側の複数本（図中では各３本）をチタン合金製の剛性の高い材質の櫛歯３Ａを基部２に突設するとともに基部２の両端部２Ｅ側の複数本を除くその他の部分にはステンレス製の櫛歯３Ｂを突設し、その後、メッキ処理並びに装飾を施して完成する。【００１５】        このような金属製櫛１の使用方法について説明する。ペットショップ等においてトリマーがペットの毛並みを整える場合には、まず金属製櫛１の櫛歯３の間隔の広い荒目部Ｗを用いて毛の絡みをほぐす、次いで、毛の絡みがほぐれたら金属製櫛１を持ち替えて櫛歯３の間隔が狭い細目部Ｔを使って毛並みを整えることができる。金属製櫛１はその材質に由来する滑り感や強度によりペットの毛並みを手際よく整えることができる。【００１６】        しかしながら、金属製櫛１の使用時においては、何かにぶつけたり、金属製櫛１の櫛歯３の荒目部Ｗから細目部Ｔへの持ち替え時など誤って手を滑らせたり、作業テーブル上の金属製櫛１を取り損ねて櫛歯３を下にして床に落としてしまったり、トリマーが腰に装着したり作業テーブル上のシザーホルダーやポケットの出し入れ時あるいは絡まった毛に金属製櫛１の両端部２Ｅに位置する櫛歯３Ａを引っ掛けてしまう場合があるが、金属製櫛１の両端部２Ｅ側の複数本の櫛歯３Ａはステンレス製の他の部分の櫛歯３Ｂより剛性の高い材質であるチタン合金を用いていることから、金属製櫛１をぶつけたり落下による衝撃や収納ホルダー・ポケットあるいは絡まった毛との引っ掛かりで櫛歯３Ａに力が加わった場合でも、櫛歯３Ａは復元するので変形や折損する可能性が大幅に低下する。【００１７】        尚、櫛歯３の突設の手順は、チタン合金製の櫛歯３Ａを突設した後にステンレス製の櫛歯３Ｂを突設すると記載したが、金属製櫛１の基部２の両端部２Ｅ側の複数本にチタン合金製の櫛歯３Ａを突設し、その他の部分にステンレス製の櫛歯３Ｂを突設する構成とすれば定法に従い突設の順序を問わないことはいうまでもない。【００１８】        また、金属製櫛１の基部２の両端部２Ｅ側にチタン合金の櫛歯３Ａを複数本（図中３本）突設するとしたが本数は限定されるものではない。また、櫛歯３Ａの本数は基部２の最両端部２Ｅにそれぞれ１本づつ突設してもよく、この場合は櫛歯３Ａの太さを変え剛性を上げることで同様の効果を生ずる。また、基部２の両側面に櫛歯３を���設する金属製櫛１の場合には、基部２両側面に設けられる各々の櫛の両端部２Ｅ側に剛性の高い複数本の櫛歯３Ａを突設するなどは本発明の要旨の範囲内である。【００１９】        また、櫛歯３Ａに用いられる材質としては、チタン合金の他にアルミニウム合金等の剛性の高く軽量の金属材料が上げられる。【００２０】      このような構成の本発明の金属製櫛１は、基部２の両端部２Ｅ側に突設される複数本の櫛歯３Ａを剛性の高いチタン合金製としたものであるので、使用中に何かにぶつけたり、手を滑らせたり作業テーブルから床に落下させた場合の衝撃やシザーホルダーやポケットと金属製櫛１の出し入れの際に生じる櫛歯３Ａとの引っ掛かりあるいは絡まった毛との引っ掛かりによる力が加わった場合でも櫛歯３Ａは剛性が高い材質が採用されているので復元し変形する可能性は低減されるため、折曲あるいは折損した櫛歯３の先端部でペットの毛が絡まってしまったり、ペットの皮膚を傷つけてしまう虞が大幅に減少し、高価な金属製櫛を廃棄しなければならなくなるという問題も低減し、使い込んで手になじんだ金属製櫛を長く使い続けることができるため、長期間で見た場合の櫛に要するコストは低下する。【００２１】    また、両端部２Ｅ側に軽量で剛性の高い材質の複数本の櫛歯３Ａを突設したことから、金属製櫛１の全体重量を低下することが可能となるため使用者の手への負担を減少させることができるとともに、金属製櫛１の両端部２Ｅが軽く中央部が重くなる重量バランスとなるので、金属製櫛１を取り扱い易くなり、持ち替え時に誤って手を滑らせて床に落としてしまうという問題も減少するという効果を生ずる。
【符号の説明】
【００２２】１    金属製櫛
２    基部
２Ｅ  両端部
３    櫛歯
３Ａ  櫛歯
３Ｂ  櫛歯
Ｗ    荒目部
Ｔ    細目部
【図１】
2011045684.tif 000003